(57)【要約】【課題】ドリル装置で、天井及び床等に垂直孔を、壁等に水平孔を穿孔する際に、ドリル装置を保持する角度及び位置決めの確認を容易且迅速に行うことができ、水平孔及び垂直孔の穿孔作業を正確且迅速に行うことを可能とすることを目的とする。【解決手段】透明の筒型の支持体４１内に錘体１１を可動自在に懸装し、支持体４１の内周部に接触部１３を設けてドリル装置用補助器具１０を形成し、補助器具１０の上端部及び下端部に設けた雄螺子４８，４９と螺合する雌螺子２１，２２を備えた支持台２０を介してドリル装置に取り付ける。【選択図】  図５
2007168062.tif 000002
【特許請求の範囲】
【請求項１】
支持体に錘体を可動自在に懸装し、支持体にはドリル装置本体に取り付けるための取付手段を備えていることを特徴とするドリル装置用補助器具。
【請求項２】
前記支持体は透明又は半透明の筒型で、前記支持体内部に前記錘体を備えることを特徴とする請求項１記載のドリル装置用補助器具。
【請求項３】
前記錘体の上端と下端を夫々懸装部材を用いて前記支持体に連結したことを特徴とする請求項１又は２記載のドリル装置用補助器具。
【請求項４】
前記支持体には内周が円形状の接触部を設け、該接触部内側に前記錘体を位置させたことを特徴とする請求項１から３のうちいずれかに記載のドリル装置用補助器具。
【請求項５】
前記錘体及び／又は接触部には蛍光色を施したことを特徴とする請求項４記載のドリル装置用補助器具。
【請求項６】
前記取付手段は前記支持体の上端部及び／又は下端部に設けた螺子で構成し、該螺子の軸線は前記錘体の軸線と重なり合うか平行であることを特徴とする請求項１から５のうちいずれかに記載のドリル装置用補助器具。
【請求項７】
請求項１から６のうちいずれかに記載のドリル装置用補助器具をドリル装置に固定するための支持台であって、前記取付手段と結合する結合部とドリル装置に固定する固定手段を備え、前記ドリル装置用補助器具を、錐の軸線と９０度の角度に位置すると共に、該錐の軸線が水平時に垂直に支持すること及び／又は錐の軸線と平行に位置するよう支持することを特徴とする支持台。
【請求項８】
請求項６に記載のドリル装置用補助器具をドリル装置に固定するための支持台であって、前記支持体の上端部及び／又は下端部に設けた螺子に対応して螺合する螺子を２個設けると共に、該２個の螺子の軸線を９０度の角度をもって形成したことを特徴とする支持台。
【請求項９】
請求項１から６のうちいずれかに記載のドリル装置用補助器具を備えたドリル装置。
【請求項１０】
請求項６に記載のドリル装置用補助器具を備えたドリル装置であって、ドリル装置用補助器具の前記支持体の上端部及び／又は下端部に設けた螺子に対応して螺合する螺子を２個設けると共に、該２個の螺子の軸線を９０度の角度をもって形成した支持台を備え、該支持台は、該２個の螺子の一の軸線は錐の軸線と９０度の角度に位置すると共に、該錐の軸線が水平時に垂直となり、他の軸線は錐の軸線と平行に位置するように設置され、支持台に設けた螺子と支持体に設けた螺子を螺合してドリル装置用補助器具を固定したことを特徴とするドリル装置。
【発明の詳細な説明】
【技術分野】
【０００１】
本願発明はドリル装置用補助器具及びそれを備えたドリル装置に関し、詳しくは、振動ドリル、ハンマードリル等のドリル装置を用いた垂直孔又は水平孔の穿孔を補助する補助器具及びそれを備えたドリル装置に関する。
【背景技術】
【０００２】
天井、壁、床等にネジ孔等を穿孔するために携帯用のドリル装置を用いることが広く行われている。しかし、この孔を水平又は垂直に穿孔することは熟練の作業員でも容易ではなく、特に、足場が不安定な場所での作業、作業スペースが充分広くない場所での作業、上向きでの作業、穿孔する部位の表面が垂直又は水平でない場合等では、穿孔角度を水平又は垂直とすることは極めて困難で、必ず誤差が生じてしまっていた。
【０００３】
そこで、携帯用ドリル装置に気泡式水準器を設け、水平又は垂直に穿孔することを容易とする携帯用ドリル装置が提案されている（特許文献１、２参照。）。
【０００４】
【特許文献１】特開２００５−２３３７３９号公報
【特許文献２】特開２００５−１５３１３３号公報
【発明の開示】
【発明が解決しようとする課題】
【０００５】
しかし、これらの従来技術では、振動するドリル装置に気泡式水準器を用いるので、気泡が割れて見難く、ドリル装置を保持する角度及び位置決めの確認が容易ではないという欠点、泡の反応時間が長く時間がかかり、又、気泡が小さいので視認性が悪いので、作業効率が悪くなるという欠点や、穿孔中にドリル装置の角度、位置を確認することは不可能であるという欠点、頻繁に水準器の較正をする必要があるという欠点、水準器のみの交換が極めて困難であるという欠点、又、錐先を上に向けて垂直孔を穿孔する作業をする場合には、通常ドリル装置は頭上に位置するので、水準器の指示を目視することは極めて困難であるという欠点を有していた。
【０００６】
そこで、本発明は上記課題を解決し、ドリル装置特に携帯用ドリル、ハンマードリルで、天井及び床等に垂直孔を、壁等に水平孔を穿孔する際に、ドリル装置を保持する角度及び位置決めの確認を容易且迅速に行うことができ、水平孔及び垂直孔の穿孔作業を正確且迅速に行うことを可能とすることを目的とする。又、メンテナンスが不要で、取替え容易で、どのような作業体勢でも容易に目視可能なドリル装置用の水平孔及び垂直孔の穿孔作業の補助器具を提供することを目的とする。又、穿孔作業中にもドリル装置の保持角度、位置を確認可能とすることを目的とする。
【課題を解決するための手段】
【０００７】
上記課題を解決するための手段としての本発明は、支持体に錘体を可動自在に懸装し、支持体にはドリル装置本体に取り付けるための取付手段を備えていることを特徴とするドリル装置用補助器具である。
【０００８】
又、上記ドリル装置用補助器具において、前記支持体は透明又は半透明の筒型で、前記支持体内部に前記錘体を備えることとしたことを特徴とするものである。
【０００９】
又、上記ドリル装置用補助器具において、前記錘体の上端と下端を夫々懸装部材を用いて前記支持体に連結したことを特徴とするものである。
【００１０】
又、上記ドリル装置用補助器具において、前記支持体には内周が円形状の接触部を設け、該接触部内側に前記錘体を位置させたことを特徴とするものである。
【００１１】
又、上記ドリル装置用補助器具において、前記錘体及び／又は接触部には蛍光色を施したことを特徴とするものである。
【００１２】
又、上記ドリル装置用補助器具において、前記取付手段は前記支持体の上端部及び／又は下端部に設けた螺子で構成し、該螺子の軸線は前記錘体の軸線と重なり合うか平行であることを特徴とするものである。
【００１３】
又、上記のドリル装置用補助器具をドリル装置に固定するための支持台であって、前記取付手段と結合する結合部とドリル装置に固定する固定手段を備え、前記ドリル装置用補助器具を、錐の軸線と９０度の角度に位置すると共に、該錐の軸線が水平時に垂直に支持すること及び／又は錐の軸線と平行に位置するよう支持することを特徴とする支持台である。
【００１４】
又、上記のドリル装置用補助器具をドリル装置に固定するための支持台であって、前記支持体の上端部及び／又は下端部に設けた螺子に対応して螺合する螺子を２個設けると共に、該２個の螺子の軸線を９０度の角度をもって形成したことを特徴とする支持台である。
【００１５】
更に上記のドリル装置用補助器具を備えたドリル装置である。このドリル装置は、ドリル装置用補助器具の前記支持体の上端部及び／又は下端部に設けた螺子に対応して螺合する螺子を２個設けると共に、該２個の螺子の軸線を９０度の角度をもって形成した支持台を備え、該支持台は、該２個の螺子の一の軸線は錐の軸線と９０度の角度に位置すると共に、該錐の軸線が水平時に垂直となり、他の軸線は錐の軸線と平行に位置するように設置され、支持台に設けた螺子と支持体に設けた螺子を螺合してドリル装置用補助器具を固定したものとすることが出来る。
【発明の効果】
【００１６】
以上のような本発明によれば、ドリル装置特に携帯用ドリル、ハンマードリルで、天井及び床等に垂直孔を、壁等に水平孔を穿孔する際に、ドリル装置を保持する角度及び位置決めの確認を容易且迅速に行うことができ、水平孔及び垂直孔の穿孔作業を正確且迅速に行うことを可能とすることが可能となった。又、メンテナンスが不要で、取替え容易で、どのような作業体勢でも容易に目視可能なドリル装置用の水平孔及び垂直孔の穿孔作業の補助器具を提供することが可能となった。又、穿孔作業中にもドリル装置の保持角度、位置を確認可能とすることが可能となった。
【００１７】
特に、支持体は透明又は半透明の筒型で、支持体内部に錘体を備えることとしたので、破損しにくく、且錘が見やすく、極めて扱い易い補助器具とすることができた。
【００１８】
又、錘体の上端と下端を夫々懸装部材を用いて支持体に連結したので、取付手段を補助器具の上端又は下端の一端のみに設ければよく、製造容易となり、又、天井から床或いはその逆へと穿孔場所を変える場合でも、補助器具を付け替えて上下を変える作業が不要となり、作業の容易性、迅速性を高めることができた。
【００１９】
又、支持体には内周が円形状の接触部を設け、該接触部内側に前記錘体を位置させたので、支持体の側部の内壁を叩き擦過痕をつけるのを防止し、ひいては補助器具の破損を防止すると共に、錘体の位置確認を容易とすることができた。
【００２０】
又、錘体及び／又は接触部には蛍光色を施したので、光源が少ない、少し暗い場所でも、錘体の傾きが容易に把握でき、作業性の向上を図ることが出来た。
【００２１】
又、取付手段は前記支持体の上端部及び／又は下端部に設けた螺子で構成し、該螺子の軸線は前記錘体の軸線と重なり合うか平行であるので、簡易な構成で扱い易く、装着が短時間ででき、作業性の向上を図ることができた。
【００２２】
上記のドリル装置用補助器具をドリル装置に固定するための支持台であって、前記取付手段と結合する結合部とドリル装置に固定する固定手段を備え、前記ドリル装置用補助器具を、錐の軸線と９０度の角度に位置すると共に、該錐の軸線が水平時に垂直に支持すること及び／又は錐の軸線と平行に位置するよう支持するので、或いは前記支持体の上端部及び／又は下端部に設けた螺子に対応して螺合する螺子を２個設けると共に、該２個の螺子の軸線を９０度の角度をもって形成したので、補助器具の着脱が容易で、作業性の向上を図ることができた。
【発明を実施するための最良の形態】
【００２３】
以下本発明を図に従って詳細に説明する。ドリル装置用補助器具１０（以下「補助器具１０」という）は、ドリル装置本体１に取り付けられた錐３１の軸線（センターライン）２が水平又は垂直に位置しているか否かを示し、ドリル装置１００での水平孔又は垂直孔穿孔を補助するための器具であり、支持体４１、錘体１１及び錘体１１を支持体４１に吊るす懸装部材５１を備えて構成されている。尚、ドリル装置はドリル全般を含むもので、ハンマードリル、振動ドリルや回転式のドリル等が含まれる。
【００２４】
支持体４１は側部４２と側部４２の上端部から側方へ張出する上部４３を備え、上部４３に懸装部材５１の上端が吊るされると共に、懸装部材５１の下端には錘体１１が吊るされて、錘体１１が上部４３から可動自在に懸装され、側部４２の下端部には支持体４１をドリル装置本体１に取り付けるための取付手段４８、上端部にも同様の取付手段４９を備えている。
【００２５】
支持体４１は、図１乃至３に示すように、側部４２は円筒形状の筒型で、その上端部に円形薄板状の上部４３を設けると共に下端部に円形薄板状下部４４を設けて密封状態とし、少なくとも側部４２、望ましくは更に上部４３及び下部４４、は内部の錘体１１が目視可能なように透明或いは半透明の合成樹脂等の材質で構成する。上部４３の内面側には環状部４３１を設け、略円柱棒状の錘体１１の上端に錘体１１と一体形成された環状の懸装部材５１と連結し、支持体４１が垂直状態の時に錘体１１が側部４２と平行となるよう錘体１１が吊り下げられている。
【００２６】
又、取付手段４８、４９は側部４２の端部外周を螺刻して形成した雄螺子で構成し、取付手段４８、４９としての雄螺子の軸線と補助器具１０の錘体１１の軸線は重なり合うか、平行となるよう取付手段４８、４９を形成する。
【００２７】
支持体４１が垂直状態以外の状態の時に側部４２の内壁に錘体１１が接触する部位には、錘体１１が側部４２の内壁を叩き擦過痕をつけるのを防止すると共に、錘体１１の位置確認を容易とするために、側部４２の内壁の周囲に渡って内方へ突出し、その内周が円形状の接触部１３を設けることが望ましく、更に該接触部１３はゴム、エラストマー等の弾性体で構成すること、蛍光色が施されていることが望ましい。弾性体で構成することによりクッションとなり擦過痕を防止でき、蛍光色を施すことにより、錘体１１との位置の視認性の向上を図ることができ、錘体１１にも蛍光色を施すことにより、更に視認性の向上を図ることができるためである。接触部１３と錘体１１間の距離は特に限定されないが、支持体４１が垂直状態の時に２ｍｍ〜５ｍｍ程度でよい。
【００２８】
補助器具１０は支持台２０を介してドリル装置本体１と固定するが、支持台２０はドリル装置本体１に螺子及び支持台２０に設けた螺子孔等の固定手段により着脱自在に設置してもよく、ドリル装置本体１と一体形成され或いは溶接等で一体的に設置してもよい。支持台２の取付位置は特に限定されないが、視認性の観点から、ドリル装置本体１の背部１０１に設置することが好ましい。
【００２９】
支持台２０には補助器具１０を取り付けるための螺子孔が２個設けられ、該螺子孔２１１，２２１には補助器具１０の取付手段４８、４９としての雄螺子に対応して螺合（結合）する結合部としての雌螺子２１，２２が設けられ、２個の雌螺子２１，２２或いは螺子孔２１１，２２１は、その軸線３，４が９０度の角度を持って、図に示す実施例に於いては直交して形成している。支持台２０は、一の雌螺子２１（螺子孔２１１）の軸線（センターライン）３が、錐３１の軸線（センターライン）２と９０度の角度に位置、即ち側面視直交すると共に、錐３１の軸線２が水平時に垂直となり、他の雌螺子２２（螺子孔２２１）の軸線（センターライン）４は錐３１の軸線（センターライン）２と平行に位置するようにドリル装置本体１に設置されている。尚、螺子孔２２１は錐３１と反対方向、即ち作業者側に開口することが好ましい。
【００３０】
尚、支持台２には一の螺子孔のみを設け、上述のような構成の雌螺子２１のみを設けると共に、補助器具１０の下端部にのみ取付手段４８を設け、水平孔を穿孔する場合のみ有用とし、或いは上述のような構成の雌螺子２２のみを設けて垂直孔を穿孔する場合のみ有用とすることもできる。
【００３１】
尚、支持台２０を用いずに、ドリル装置本体１に、補助器具１０の取付手段４８、４９としての雄螺子に対応する雌螺子を螺刻した螺子孔を設けて、螺合することにより補助器具１０とドリル装置本体１を直接固定することもできる。この場合にも支持台２０を用いる場合と同様に、上述のように支持台２０に設ける雌螺子２１及び／又は雌螺子２２と同様の構成の雌螺子をドリル装置本体１に設ける。
【００３２】
上記のような構成により、螺子孔２１１に補助器具１０を取り付けると、補助器具１０は錐３１の軸線２と９０度の角度に位置すると共に、該錐３１の軸線２が水平時に垂直に支持されて、錐３１を水平とすると、補助器具１０、正確には支持体４１は垂直となる。又、螺子孔２２１に補助器具１０を取り付けると、補助器具１０は錐３１の軸線２と平行に位置するよう支持され、錐３１を垂直とすると、補助器具１０、正確には支持体４１は垂直となる。又、これら雌螺子２１，２２その他の上記雌螺子に取付手段４８又は４９を螺合して補助器具１０を取り付けると、錘体１１の軸線と雌螺子の軸線３又は４等は同一線上に位置するか、平行となるように補助器具１０及び取付手段４８、４９を構成している。
【００３３】
尚、取付手段として、側部４２の上端部及び／又は下端部に螺子孔を設け、内周を螺刻して形成した雌螺子で構成し、支持台２又はドリル装置本体１に該雌螺子に対応する雄螺子を突出させる構成としてもよい。
【００３４】
次に本発明の使用について説明する。壁２００に水平孔を穿孔する場合には、図５に示すように、支持台２０の螺子孔２１１に設けた雌螺子２１と補助器具１０の下端部に設けた取付手段４８を螺合し、錘体１１が下方へ吊り下げられた状態とする。
【００３５】
又、天井２０１に垂直孔を穿孔する場合には、作業者の顔よりドリル装置１００が上方にあるので、図６に示すように、支持台２０の螺子孔２２１に設けた雌螺子２２と補助器具１０の上端部に設けた取付手段４９を螺合し、錘体１１が下方へ吊り下げられた状態とする。支持体４１の下部４４を透明又は半透明の材質で構成することにより、更には図１に示すように下部４４に指示線４４０を設けることにより、より容易に錐３１、ドリル装置１００の角度を確認するができる。
【００３６】
逆に、床２０２に垂直孔を穿孔する場合には、作業者の顔よりドリル装置１００が下方にあるので、図７に示すように、支持台２０の螺子孔２２１に設けた雌螺子２２と補助器具１０の下端部に設けた取付手段４８を螺合し、錘体１１が下方へ吊り下げられた状態とする。
【００３７】
穿孔時にはいずれの場合も、補助器具１０を垂直方向へ直立させて、錘体１１が垂直となるように吊り下げられた状態で作業を行う。更に、錘体１１が側部４２の内壁或いは接触部１３が設けられている場合には接触部１３と接触しないように、側部４２或いは接触部１３の中心に留まるようにドリル装置本体１を保持したまま作業を遂行することにより、正確に垂直又は水平な孔を穿孔することが、熟練していない作業員によっても可能となる。
【００３８】
支持体４１、補助器具１０は上記構成に限定されず、図８に示すように、下部を設けずに密封状態としない構成（図８（ａ））としてもよく、側部４２を円筒形状以外の三角形や四角形等の多角形の筒型としてもよく、又、側部４２には内部目視可能なように打抜き部４６を設けた構成（図８（ｂ））としてもよい。又、側部４２の外形を横断面円形以外の三角形や四角形等の多角形の柱状とし、内部空間を横断面円形としてもよい（図８（ｃ））。更に、側部４２を筒型とせずに、板状体とし、その上端部から板状の上部４３を延出させると共に、板状の側部４２の上下端部から雄螺子を突出させた構成（図８（ｄ））や、側部４２を棒状体としその上端部から棒状の上部を延出させた構成（図８（ｅ））としてもよい。側部４２に打抜き部４６を設けた場合や側部４２を筒状としない場合には、側部４２の材質は透明或いは半透明に限定されない。又、支持体４１には下端部に設ける取付手段４８、上端部に設ける取付手段４９の内何れかのみを設ける構成としてもよい。
【００３９】
又、図８（ｅ）に示すように、懸装部材５１を紐、鎖、ワイヤ等の長尺物で構成すると共に、錘体１１を下方に縮径する円錐状の錘で構成して所謂下げ振り（錘重）を支持体４１に懸装してもよい。又、図８（ｄ）に示すように、側部４２を板状体或いは棒状体とした場合には、側部４２に円環状の接触部１３を設け、接触部１３内側に錘体１１又は懸装部材５１を吊るすことが好ましく、又、図８（ｅ）に示すように錘体１１の無用な揺れを防止するため、錘体１１の下端と支持体４１、特に側部４２とを結ぶ長尺状の留具７７を設けることが好ましい。
【００４０】
更に、図８（ｆ）に示すように、補助器具１０は錘体１１の上端と支持体４１の上部４３とを、紐、鎖、ワイヤ等の長尺物で構成された懸装部材５１を用いて連結すると共に、錘体１１の下端と支持体４１の下部４４とを、紐、鎖、ワイヤ等の長尺物で構成された懸装部材５１を用いて連結し、何れか一の懸装部材５１により錘体１１が支持体４１に懸装された際には、他の懸装部材５１は伸張せずに、弛んで錘体１１の動きを妨げることの無い構成としてもよい。この場合、接触部１３は２箇所に設けることが好ましい。このような構成とすることで、取付手段を補助器具１０の上端又は下端の一端のみに設ければよく、製造容易となり、天井から床或いはその逆へと穿孔場所を変える場合でも、補助器具１０を付け替えて上下を変える作業が不要となり、作業の容易性、迅速性を高めることができる。
【００４１】
又、支持台は補助器具１０を取り付けるため、補助器具１０の取付手段４８又は／及び４９としての螺子に対応して螺合（結合）する結合部としての雌螺子或いは雄螺子を１個設けた先端部をドリル装置本体１に螺子及び螺子孔等の固定手段を用いて固定した基部に枢結し、該先端部は、該先端部に設けた螺子の軸線（センターライン）が錐３１の軸線（センターライン）２と９０度の角度に位置、即ち側面視直交すると共に、錐３１の軸線２が水平時に垂直となる位置、及び錐３１の軸線（センターライン）２と平行となる位置で固定可能とする構成としてもよい。このような構成とすることで、補助器具１０を付け替えることなく、先端部を回動させてその位置を容易に変化させることが出来、穿孔箇所の変更に容易に対応できる。尚、該先端部の枢動は少なくとも９０度の範囲で行われるが、１８０度の範囲で行われるようにすることが好ましい。
【００４２】
又、支持台は錐３１の軸線（センターライン）２と９０度の角度に位置、即ち側面視直交すると共に、錐３１の軸線２が水平時に垂直となる面及び錐３１の軸線（センターライン）２と平行となる面を備え、少なくとも支持台の結合部としての該両面及び補助器具１０の取付手段を磁石で構成してもよい。このような構成とすることで、補助器具１０の位置を容易に変化させることが出来、穿孔箇所の変更に容易に対応できる。
【００４３】
尚、本発明の補助器具及びドリル装置を各種実施例を挙げて説明したが、本発明がこれらの実施例に限定されるものではなく、又、これらの実施例から適宜選択して構成することができることは明らかである。
【図面の簡単な説明】
【００４４】
【図１】本発明補助器具の一実施例斜視図
【図２】図１Ａ−Ａ断面図
【図３】図１Ｂ−Ｂ断面図
【図４】本発明一実施例部分使用状態図
【図５】本発明一実施例壁への穿孔使用状態図
【図６】本発明一実施例天井への穿孔使用状態図
【図７】本発明一実施例床への穿孔使用状態図
【図８】本発明補助器具の各種実施例斜視図
【符号の説明】
【００４５】
１      ドリル装置本体
１０    ドリル装置用補助器具
１１    錘体
１３    接触部
２      錐の軸線（センターライン）
２０    支持台
２１    雌螺子
２２    雌螺子
３      雌螺子２１の軸線（センターライン）
３１    錐
４      雌螺子２２の軸線（センターライン）
４１    支持体
４２    側部
４３    上部
４４    下部
４８    取付手段
４９    取付手段
５１    懸装部材
１００  ドリル装置
【図１】
2007168062.tif 000003
【図２】
2007168062.tif 000004
【図３】
2007168062.tif 000005
【図４】
2007168062.tif 000006
【図５】
2007168062.tif 000007
【図６】
2007168062.tif 000008
【図７】
2007168062.tif 000009
【図８】
2007168062.tif 000010